(57)【要約】【課題】紙送り方向の寸法を極力小さくした液体噴射ヘッド及び液体噴射装置を提供する。【解決手段】  接続端子列を各々有する複数のアクチュエーターユニットと、前記複数のアクチュエーターユニットと対向配置され、前記複数のアクチュエーターユニットの各々の前記接続端子列と電気的に接続され、記録シートの搬送方向である第１方向と交差する第２方向に延設された配線基板と、前記配線基板に設けられ、外部から供給された信号を、前記配線基板を介して前記複数のアクチュエーターユニットの各々に供給する外部接続端子列と、前記配線基板に対して前記複数のアクチュエーターユニットが配置された側と反対の側から、前記複数のアクチュエーターユニットの各々に液体を供給する複数の液体流路と、を備え、前記複数の液体流路は、前記配線基板の前記第１方向の外側に配置され、前記外部接続端子列は、前記第２方向において前記複数の液体流路の間に配置されている。【選択図】図２
2018065394.tif 000002
【特許請求の範囲】
【請求項１】
接続端子列を各々有する複数のアクチュエーターユニットと、
前記複数のアクチュエーターユニットと対向配置され、前記複数のアクチュエーターユニットの各々の前記接続端子列と電気的に接続され、記録シートの搬送方向である第１方向と交差する第２方向に延設された配線基板と、
前記配線基板に設けられ、外部から供給された信号を、前記配線基板を介して前記複数のアクチュエーターユニットの各々に供給する外部接続端子列と、
前記配線基板に対して前記複数のアクチュエーターユニットが配置された側と反対の側から、前記複数のアクチュエーターユニットの各々に液体を供給する複数の液体流路と、を備え、
前記複数の液体流路は、前記配線基板の前記第１方向の外側に配置され、
前記外部接続端子列は、前記第２方向において前記複数の液体流路の間に配置されている
ことを特徴とする液体噴射ヘッド。
【請求項２】
前記複数の液体流路は、前記配線基板の前記第１方向の両外側に配置され、
前記外部接続端子列は、前記配線基板の前記第１方向の両側に分割されて配置されているとともに、該分割された各々の前記外部接続端子列は、前記第２方向において前記複数の液体流路の間に配置されている
ことを特徴とする請求項１に記載の液体噴射ヘッド。
【請求項３】
前記外部接続端子列の分割された一方は、前記複数のアクチュエーターユニットに搭載された半導体装置を制御するための制御信号を供給する制御系外部接続端子列であり、他方は、前記複数のアクチュエーターユニットに備えられた駆動素子を駆動するための信号を供給する駆動系外部接続端子列である
ことを特徴とする請求項２に記載の液体噴射ヘッド。
【請求項４】
各々の前記接続端子列は、前記第１方向に平行に又は傾斜した方向で、前記配線基板に電気的に接続されている
ことを特徴とする請求項１〜３の何れか一項に記載の液体噴射ヘッド。
【請求項５】
請求項１〜４の何れか一項に記載する液体噴射ヘッドを備えることを特徴とする液体噴射装置。
【発明の詳細な説明】
【技術分野】
【０００１】
本発明は、液体噴射ヘッド及び液体噴射装置に関し、特に液体としてインクを噴射するインクジェット式記録ヘッド及びインクジェット式記録装置に関する。
【背景技術】
【０００２】
液体噴射ヘッドとして、例えば、インク滴を吐出するノズル開口と連通する圧力発生室を圧電素子等の圧力発生手段により変形させ、ノズル開口からインク滴を吐出させるヘッド本体と、該ヘッド本体に供給されるインクの流路を構成する流路部材とを備えたインクジェット式記録ヘッドが知られている。
【０００３】
ヘッド本体は流路部材に接続され、流路からのインクがヘッド本体に供給され、又はヘッド本体からのインクが流路に排出されるようになっている。また、流路部材には、厚さ方向に貫通して、フレキシブル配線基板が挿通される開口部が設けられている。フレキシブル配線基板は、当該開口部を挿通してヘッド本体の圧力発生手段にリード電極を介して接続されている。
【０００４】
また、多くのヘッドを千鳥状に一列に配置したラインヘッドを形成する場合（例えば、特許文献１参照）、ヘッド本体に接続されるフレキシブル配線基板の他、フレキシブル基板に外部信号を送るための配線をどのように配置するかが問題となる。さらに、このようなラインヘッドでは、多色化を図るためには、紙送り方向のサイズがさらに大きくなってしまうが、紙送りが安定して行えないため印刷品質が低下してしまうので、紙を安定して搬送するための特別な工夫が必要となるという問題がある。
【先行技術文献】
【特許文献】
【０００５】
【特許文献１】特開２００７−１３６７０１号公報
【発明の概要】
【発明が解決しようとする課題】
【０００６】
よって、液体噴射ヘッドにおいては、紙送り方向の寸法をできるだけ小さくしたいという要望があり、これは高解像度とともに要求される小型化の要望と共に必要性が高まってきている。
【０００７】
なお、このような問題は、インクを吐出するインクジェット式記録ヘッドだけではなく、インク以外の液体を噴射する液体噴射ヘッド及び液体噴射装置においても同様に存在する。
【０００８】
本発明はこのような事情に鑑み、紙送り方向の寸法を極力小さくした液体噴射ヘッド及び液体噴射装置を提供することを目的とする。
【課題を解決するための手段】
【０００９】
前記目的を達成する本発明は、接続端子列を各々有する複数のアクチュエーターユニットと、前記複数のアクチュエーターユニットと対向配置され、前記複数のアクチュエーターユニットの各々の前記接続端子列と電気的に接続され、記録シートの搬送方向である第１方向と交差する第２方向に延設された配線基板と、前記配線基板に設けられ、外部から供給された信号を、前記配線基板を介して前記複数のアクチュエーターユニットの各々に供給する外部接続端子列と、前記配線基板に対して前記複数のアクチュエーターユニットが配置された側と反対の側から、前記複数のアクチュエーターユニットの各々に液体を供給する複数の液体流路と、を備え、前記複数の液体流路は、前記配線基板の前記第１方向の外側に配置され、前記外部接続端子列は、前記第２方向において前記複数の液体流路の間に配置されていることを特徴とする液体噴射ヘッドにある。
かかる態様では、複数のアクチュエーターユニットの各々の前記接続端子列と電気的に接続され、該接続端子列が記録シートの搬送方向である第１方向と交差する第２方向に並設された配線基板の搬送方向外側に外部接続端子列を配置し、その第２方向の両外側に液体流路を配置するようにしたので、全体の小型化を図ることができ、特に、搬送方向の寸法を短くすることができ、記録シートの搬送精度が高度に確保され、印刷品質を向上させることができる。
【００１０】
ここで、前記複数の液体流路は、前記配線基板の前記第１方向の両外側に配置され、前記外部接続端子列は、前記配線基板の前記第１方向の両側で、前記第２方向において前記複数の液体流路の間の領域に分割されて配置されているとともに、該分割された各々の前記外部接続端子列は、前記第２方向において前記複数の液体流路の間に配置されていることが好ましい。これによれば、配線基板の搬送方向両外側に外部接続端子列を分割配置することにより、全体の小型化を図ることができ、特に、搬送方向の寸法を短く保ったままアクチュエーターユニットの高密度化に対応することができる。
【００１１】
また、前記外部接続端子列の分割された一方は、前記複数のアクチュエーターユニットに搭載された半導体装置を制御するための制御信号を供給する制御系外部接続端子列であり、他方は、前記複数のアクチュエーターユニットに備えられた駆動素子を駆動するための信号を供給する駆動系外部接続端子列であることが好ましい。これによれば、小型化を図りつつアクチュエーターユニットへの制御信号及び駆動信号の供給を実現することができる。
【００１２】
また、各々の前記接続端子列は、前記第１方向に平行に又は傾斜した方向で、前記配線基板に電気的に接続されていることが好ましい。これによれば、搬送方向の寸法をさらに低減できる。
【００１３】
本発明の他の態様は、液体噴射ヘッドを備えることを特徴とする液体噴射装置にある。
かかる態様によれば、複数のアクチュエーターユニットの各々の前記接続端子列と電気的に接続され、該接続端子列が記録シートの搬送方向である第１方向と直交する第２方向に並設された配線基板の搬送方向外側に外部接続端子列を配置し、その第２方向の両外側に液体流路を配置するようにしたので、全体の小型化を図ることができ、特に、搬送方向の寸法を短くすることができ、記録シートの搬送精度が高度に確保され、印刷品質を向上させた液体噴射装置が実現できる。
【図面の簡単な説明】
【００１４】
【図１】本発明の実施形態１に係る記録装置の概略斜視図である。
【図２】本発明の実施形態１に係るヘッドユニットの分解斜視図である。
【図３】本発明の実施形態１に係る記録ヘッドの平面図である。
【図４】実施形態１に係る配線基板の斜視図である。
【図５】本発明の実施形態１に係る記録ヘッドの底面図である。
【図６】図３のＡ−Ａ’線断面図である。
【図７】本発明の実施形態１に係るヘッド本体の分解斜視図である。
【図８】本発明の実施形態１に係るヘッド本体の断面図である。
【図９】本発明の実施形態１のノズル開口の配置を模式的に示した図である。
【図１０】本発明の実施形態１に係る流路部材（第１流路部材）の平面図である。
【図１１】本発明の実施形態１に係る第２流路部材の平面図である。
【図１２】本発明の実施形態１に係る第３流路部材の平面図である。
【図１３】本発明の実施形態１に係る第３流路部材の底面図である。
【図１４】図１０〜図１３のＢ−Ｂ’線断面図である。
【図１５】図１０〜図１３のＣ−Ｃ’線断面図である。
【図１６】図１０〜図１５のＤ−Ｄ’線断面図である。
【発明を実施するための形態】
【００１５】
以下に本発明を実施形態に基づいて詳細に説明する。
【００１６】
〈実施形態１〉
本発明を実施形態に基づいて詳細に説明する。インクジェット式記録ヘッドは液体噴射ヘッドの一例であり、単に記録ヘッドともいう。インクジェット式記録ヘッドユニットは、液体噴射ヘッドユニットの一例であり、単にヘッドユニットともいう。インクジェット式記録装置は、液体噴射装置の一例である。図１は、本実施形態に係るインクジェット式記録装置の概略構成を示す斜視図である。
【００１７】
図１に示すように、インクジェット式記録装置１は、ヘッドユニット１０１を備え、被噴射媒体である紙などの記録シートＳを搬送することで印刷を行う、所謂ライン式記録装置である。
【００１８】
具体的には、インクジェット式記録装置１は、装置本体２と、複数の記録ヘッド１００を有するヘッドユニット１０１と、記録シートＳを搬送する搬送手段４と、ヘッドユニット１０１と相対向する記録シートＳを支持する支持部材７とを具備する。なお、本実施形態では、記録シートＳの搬送方向をＸ方向とする。また、ヘッドユニット１０１のノズル開口が設けられた液体噴射面内において、Ｘ方向と直交する方向をＹ方向とする。さらに、Ｘ方向及びＹ方向に直交する方向をＺ方向とする。また、Ｘ方向において、記録シートＳを搬送する上流側をＸ１側、下流側をＸ２側とし、Ｙ方向において一方をＹ１側、他方をＹ２側とし、Ｚ方向において液体噴射方向側（記録シートＳ側）をＺ１側、反対側をＺ２側とする。
【００１９】
ヘッドユニット１０１は、複数の記録ヘッド１００と、複数の記録ヘッド１００を保持するヘッド固定基板１０２とを具備する。
【００２０】
複数の記録ヘッド１００は、搬送方向であるＸ方向に交差する方向であるＹ方向に並設されてヘッド固定基板１０２に固定されている。なお、本実施形態では、複数の記録ヘッド１００は、Ｙ方向の直線上に並設されている。すなわち、複数の記録ヘッド１００は、Ｘ方向にずれて配置されていない。これにより、ヘッドユニット１０１のＸ方向の幅を狭くして、ヘッドユニット１０１の小型化を図ることができる。
【００２１】
ヘッド固定基板１０２は、複数の記録ヘッド１００のノズル開口が記録シートＳ側に向くように、複数の記録ヘッド１００を保持するものであり、装置本体２に固定されている。
【００２２】
搬送手段４は、記録シートＳをヘッドユニット１０１に対して、Ｘ方向に搬送する。搬送手段４は、例えば、ヘッドユニット１０１に対して記録シートＳの搬送方向であるＸ方向の両側に設けられた第１の搬送ローラー５と、第２の搬送ローラー６とを具備する。このような第１の搬送ローラー５と第２の搬送ローラー６とによって、記録シートＳをＸ方向に搬送する。なお、記録シートＳを搬送する搬送手段４は、搬送ローラーに限定されず、ベルトやドラム等であってもよい。
【００２３】
支持部材７は、ヘッドユニット１０１に相対向する位置で、搬送手段４によって搬送される記録シートＳを支持する。支持部材７は、例えば、断面が矩形状を有する金属又は樹脂等からなり、第１の搬送ローラー５と第２の搬送ローラー６との間にヘッドユニット１０１に相対向して設けられている。
【００２４】
なお、支持部材７には、搬送された記録シートＳを支持部材７上で吸着する吸着手段が設けられていてもよい。吸着手段としては、例えば、記録シートＳを吸引することで吸引吸着するものや、静電気力で記録シートＳを静電吸着するもの等が挙げられる。また、例えば、搬送手段４がベルトやドラムである場合、支持部材７は、ヘッドユニット１０１に相対向する位置で、ベルト上やドラム上に記録シートＳを支持する。
【００２５】
ヘッドユニット１０１の各記録ヘッド１００には、図示していないが、インクが貯留されたインクタンクやインクカートリッジなどの液体貯留手段がインクを供給可能に接続されている。液体貯留手段は、例えば、ヘッドユニット１０１上に保持されていても、また、装置本体２内のヘッドユニット１０１とは異なる位置に保持されていてもよい。また、液体貯留手段から供給されたインクを記録ヘッド１００に供給するための流路等をヘッド固定基板１０２の内部に設けるようにしてもよく、ヘッド固定基板１０２にインク流路部材を設け、インク流路部材を介して液体貯留手段からのインクを記録ヘッド１００に供給するようにしてもよい。もちろん、液体貯留手段からヘッド固定基板１０２又はヘッド固定基板１０２に固定されたインク流路部材等を介さずに、記録ヘッド１００に直接インクが供給されてもよい。
【００２６】
このようなインクジェット式記録装置１では、第１の搬送ローラー５によって記録シートＳがＸ方向に搬送され、ヘッドユニット１０１によって支持部材７上で支持された記録シートＳに印刷が実行される。印刷された記録シートＳは、第２の搬送ローラー６によってＸ方向に搬送される。
【００２７】
ヘッドユニット１０１について図２を参照して詳細に説明する。図２は本実施形態に係るヘッドユニットを示す分解斜視図である。
【００２８】
本実施形態のヘッドユニット１０１は、複数の記録ヘッド１００と、複数の記録ヘッド１００を保持するヘッド固定基板１０２とを具備する。記録ヘッド１００は、ノズル開口２１が設けられた液体噴射面２０ａをＺ方向のＺ１側に有する。各記録ヘッド１００は、ヘッド固定基板１０２の記録シートＳに相対向する面側、すなわち、Ｚ方向の記録シートＳ側であるＺ１側に固定されている。
【００２９】
前述のように、複数の記録ヘッド１００は、搬送方向であるＸ方向に直交するＹ方向に直線上に並設されてヘッド固定基板１０２に固定されている。すなわち、複数の記録ヘッド１００は、Ｘ方向にずれて配置されていない。これにより、ヘッドユニット１０１のＸ方向の幅を狭くして、ヘッドユニット１０１の小型化を図ることができる。もちろん、Ｙ方向に並設された記録ヘッド１００をＸ方向にずらして配置するようにしてもよいが、記録ヘッド１００をＸ方向に大きくずらすと、ヘッド固定基板１０２等のＸ方向の幅が広くなってしまう。このようにヘッドユニット１０１のＸ方向の大きさが大きくなると、インクジェット式記録装置１における第１の搬送ローラー５と第２の搬送ローラー６とのＸ方向の距離が遠くなり、記録シートＳの姿勢の固定が困難になる。また、ヘッドユニット１０１及びインクジェット式記録装置１が大型化してしまう。
【００３０】
なお、本実施形態では、ヘッド固定基板１０２に４個の記録ヘッド１００を固定するようにしたが、記録ヘッド１００の数は２個以上であれば、特にこれに限定されるものではない。
【００３１】
図２〜図６を用いて記録ヘッド１００について説明する。図３は記録ヘッドの平面図であり、図４は配線基板の斜視図であり、図５は記録ヘッドの底面図であり、図６は図３のＡ−Ａ’線断面図である。なお、図３は記録ヘッド１００のＺ方向のＺ２側の平面図であり、保持部材１２０の図示を省略している。
【００３２】
記録ヘッド１００は、複数のヘッド本体１１０と、各ヘッド本体１１０に接続されたＣＯＦ基板９８と、各ヘッド本体にインクを供給する流路が設けられた流路部材２００とを備えている。さらに、本実施形態では、記録ヘッド１００は複数のヘッド本体１１０を保持する保持部材１２０と、ヘッド本体１１０の液体噴射面２０ａ側に設けられた固定板１３０と、配線基板１４０とを備えている。
【００３３】
ヘッド本体１１０は、インクの流路が設けられた保持部材１２０及び流路部材２００からインクが供給され、インクジェット式記録装置１に設けられた制御部（図示せず）から配線基板１４０及びＣＯＦ基板９８を介して制御信号が伝達され、該制御信号に基づいてインク滴を吐出するものである。ヘッド本体１１０の詳細な構成は後述する。
【００３４】
各ヘッド本体１１０は、Ｚ方向のＺ１側にノズル開口２１が設けられた液体噴射面２０ａを有する。また、複数のヘッド本体１１０のＺ２側が、流路部材２００のＺ１側の面に接着されている。
【００３５】
流路部材２００は、ヘッド本体１１０に供給されるインクの液体流路が設けられた部材である。流路部材２００の詳細な構成は後述するが、流路部材２００には、Ｚ１側の面に、複数のヘッド本体１１０がＹ方向に並設されて接着されている。また、流路部材２００に設けられた液体流路は、各ヘッド本体１１０の液体流路に連通しており、流路部材２００から各ヘッド本体１１０にインクが供給されるようになっている。
【００３６】
本実施形態では、１つの流路部材２００に６個のヘッド本体１１０が接着されている。もちろん、１つの流路部材２００に固定するヘッド本体１１０の数は上述したものに限定されず、１つの流路部材２００に対してヘッド本体１１０が１個であっても、また、２個以上の複数であってもよい。
【００３７】
また、流路部材２００には、Ｚ方向に貫通した開口部２０１が設けられており、該開口部２０１には、一端がヘッド本体１１０に接続されたＣＯＦ基板９８が挿通している。
【００３８】
ＣＯＦ基板９８は、フレキシブル配線基板の一例である。フレキシブル配線基板は、可撓性を有する基板上に配線が形成されたものである。また、ＣＯＦ基板９８は、ヘッド本体１１０に設けられた圧力発生手段を駆動する駆動回路９７（図７参照）を備えている。
【００３９】
アクチュエーターユニットであるヘッド本体１１０のアクチュエーターである圧力発生手段に接続されたＣＯＦ基板９８は、ヘッド本体１１０との接続端とは反対側に接続端子列９９（図１６参照）を具備し、開口部２０１及び貫通部１４１を挿通し、配線基板１４０の貫通部１４１の縁部のＺ２側の面の設けられた端子列１４２に接続されている。すなわち、ＣＯＦ基板９８は、各ヘッド本体１１０に対して１枚ずつ接続されてＺ方向のＺ１側からＺ２側に延設されており、端部にヘッド本体１１０に信号を供給するための接続端子列９９を有している。また、複数のヘッド本体１１０に接続されたＣＯＦ基板９８は、Ｙ方向に見て、全てオーバーラップした位置に設けられている。なお、後述するように、本実施形態のＣＯＦ基板９８は傾斜して設けられているものの、ＣＯＦ基板９８と電気的に接続されるリード電極９０及び配線基板１４０はＺ方向に離間しているので、このような場合も含めて、ＣＯＦ基板９８はＺ方向に延設されているとする。
【００４０】
配線基板１４０は、図４に示すように、表面に配線、ＩＣ、抵抗等の電装部品が実装された基板であり、保持部材１２０と流路部材２００との間に配置されている。配線基板１４０には、流路部材２００に設けられた開口部２０１と連通した貫通部１４１が形成されている。各貫通部１４１の開口形状は、流路部材２００の開口部２０１よりも大きく形成されており、その長手方向は搬送方向である第１方向に相当するＸ方向から傾斜したＸａ方向に亘っている。また、貫通部１４１の長手方向に交差する幅方向の一方側縁部には、後述するＣＯＦ基板９８の接続端子列９９が接続される端子列１４２が設けられている。端子列１４２は、６つの貫通部１４１に対応して６列設けられており、６列の端子列１４２は、搬送方向に直交する方向であるＹ方向に並設されている。
【００４１】
かかる６つの端子列１４２のそれぞれに、ＣＯＦ基板９８の接続端子列９９が接続されている。この結果、６つのＣＯＦ基板９８の端子列１４２は、搬送方向である第１方向に相当するＸ方向から傾斜したＸａ方向に倣っており、搬送方向に直交する方向であるＹ方向に並設されていることになる。
【００４２】
一方、配線基板１４０のＸ方向両端部には、駆動系外部接続端子列となる駆動系接続コネクター１４３Ａと、制御系外部接続端子列となる制御系外部接続コネクター１４３Ｂとが設けられており、６列の端子列１４２と、駆動系接続コネクター１４３Ａ及び制御系外部接続コネクター１４３Ｂとは配線１４４により接続されている。なお、駆動系接続コネクター１４３Ａ及び制御系外部接続コネクター１４３Ｂへの接続は、保持部材１２０に設けられた貫通部１２３、１２４を介して行うことができるようになっている。
【００４３】
ここで、１つの配線基板１４０には、詳細は後述するが６つのヘッド本体１１０に接続される６枚のＣＯＦ基板９８が接続されるが、６つのヘッド本体１１０に供給される信号を全てまとめて、駆動系信号と制御系信号に分離し、６列の端子列１４２から駆動系信号に関連する配線１４４は駆動系接続コネクター１４３Ａに接続され、制御系信号に関連する配線１４４は制御系外部接続コネクター１４３Ｂに接続されている。
【００４４】
駆動系信号とは実際に駆動素子である圧力発生手段を駆動するための信号であり、基準電圧となるＶｂｓや駆動波形であるＣＯＭ信号であり、相対的に電圧が高く、大電流が必要なものである。一方、制御系信号は駆動素子を制御する半導体装置である駆動回路９７を制御する信号であり、相対的に定電圧であり、低電流である。よって、駆動系接続コネクター１４３Ａは大きなピッチのコネクターを用い、制御系外部接続コネクター１４３Ｂは相対的に小さなピッチのコネクターを用いることができる。すなわち、６つのヘッド本体１１０を３つずつに分けて、それぞれに供給する信号を１つの接続コネクターで供給しようとすると、駆動系信号と制御系信号とが混在するので、大きなピッチの接続コネクターを使用せざるを得ないが、この場合だと上述したように駆動系と制御系とを分離した場合と比較して大きな接続コネクターとなってしまい、限定されたスペースに配置できない。しかしながら、上述したように、駆動系信号と制御系信号とを分離して供給することにより、限られたスペースへの接続コネクターの配置が可能となった。しかしながら、スペース的に余裕がある場合には、これに限定されず、例えば、ヘッド本体１１０毎又は複数のヘッド本体１１０毎に接続コネクターを設けてもよい。
【００４５】
ここで、上述したように、駆動系接続コネクター１４３Ａ及び制御系外部接続コネクター１４３Ｂは、第１方向の外側にそれぞれ配置されているが、駆動系接続コネクター１４３Ａ及び制御系外部接続コネクター１４３Ｂのそれぞれの第２方向両側には、詳細は後述するが、アクチュエーターユニットであるヘッド本体１１０に液体を供給する流路部材２００の液体流路、すなわち、具体的には、第２導入流路２８２ａ及び２８２ｂ、第１導入流路２８１ａ及び２８１ｂが配置されている。詳言すると、駆動系接続コネクター１４３Ａは、第２方向において第２導入流路２８２ａと第２導入流路２８２ｂとの間に配置されており、制御系外部接続コネクター１４３Ｂは、第２方向において、第１導入流路２８１ａと第１導入流路２８１ｂとの間に配置されている。
【００４６】
図２に示すように、配線基板１４０は、インクジェット式記録装置１の制御部に接続されている。具体的には、４つの駆動系接続コネクター１４３Ａには、中継基板１５０Ａの接続端子１５１Ａが接続され、制御系外部接続コネクター１４３Ｂには、中継基板１５０Ｂの接続端子１５１Ｂが接続されるようになっている。また、中継基板１５０Ａは、外部から駆動系信号を供給するためのコネクター１５２Ａを１つ備え、中継基板１５０Ｂには、外部から制御系信号を供給するためのコネクター１５２Ｂを２つ備える。そして、中継基板１５０Ａのコネクター１５２Ａには、外部から駆動系信号を供給するためのフレキシブルプリント基板、すなわち、ＦＰＣ基板１６０Ａの接続端子１６１Ａが接続され、中継基板１５０Ｂのコネクター１５２Ｂには、外部から制御系信号を供給するためのＦＰＣ基板１６０Ｂの接続端子１６１Ｂが接続されている。
【００４７】
このため、インクジェット式記録装置１の制御部から送られる駆動信号及び制御信号は、ＦＰＣ基板１６０Ａ、１６０Ｂ、中継基板１５０Ａ、１５０Ｂを介して、配線基板１４０の駆動系接続コネクター１４３Ａ及び制御系外部接続コネクター１４３Ｂに入り、ＣＯＦ基板９８の駆動回路９７に伝達され、駆動回路９７によりヘッド本体１１０の圧力発生手段が駆動されるようになっている。これにより、記録ヘッド１００のインクの噴射動作が制御されている。
【００４８】
保持部材１２０は、Ｚ１側に溝状の空間を形成する保持部１２１を有する。保持部１２１は、保持部材１２０のＺ１側の面に、Ｙ方向に亘って連続して設けられることで、Ｙ方向の両側面に開口して設けられている。また、保持部材１２０は、保持部１２１をＸ方向の略中央部に設けることで、当該保持部１２１のＸ方向の両側には、足部１２２が形成されている。すなわち、足部１２２は、保持部材１２０のＺ１側の面に、Ｘ方向の両端部のみに設けられており、Ｙ方向の両端部には設けられていない。なお、本実施形態では保持部材１２０は一部材からなるが、このような態様に限定されず、複数の部材がＺ方向に積層されて構成されていてもよい。
【００４９】
このような保持部１２１内に、配線基板１４０、流路部材２００、複数のヘッド本体１１０が収容されている。具体的には、流路部材２００のＺ１側の面に各ヘッド本体１１０が接着剤等で接合され、流路部材２００のＺ２側の面に配線基板１４０が固定されている。このように一体的に構成された配線基板１４０、流路部材２００及び複数のヘッド本体１１０が保持部１２１内に収容されている。
【００５０】
保持部材１２０と流路部材２００とは、保持部１２１及び流路部材２００のＺ方向で相対向する面同士が接着剤によって接着されている。配線基板１４０は、保持部１２１と流路部材２００とで挟まれた空間に収容されている。なお、接着剤による接着に代わり、ネジなどの固定手段により保持部材１２０と流路部材２００とを一体化してもよい。
【００５１】
また、保持部材１２０には、特に図示しないが、インクが流通する流路や異物等を捕獲するフィルター等が形成されている。これらの保持部材１２０の流路は、流路部材２００の液体流路に連通している。これにより、インクジェット式記録装置１に設けられた液体貯留手段からのインクが保持部材１２０及び流路部材２００を介してヘッド本体１１０に供給されるようになっている。
【００５２】
固定板１３０は、記録ヘッド１００の液体噴射面２０ａ側、すなわち、記録ヘッド１００のＺ方向のＺ１側に設けられ、各記録ヘッド１００を保持する部材である。固定板１３０は、例えば、金属等の板状部材を折り曲げることで形成されたものである。具体的には固定板１３０は、液体噴射面２０ａ側に設けられたベース部１３１と、ベース部１３１のＹ方向の両端部がＺ方向のＺ２側に屈曲して設けられた折り曲げ部１３２とを具備する。
【００５３】
また、ベース部１３１には、各ヘッド本体１１０のノズル開口２１を露出するための開口である露出開口部１３３が設けられている。本実施形態では、露出開口部１３３は、ヘッド本体１１０毎に独立して開口するように設けられている。すなわち、本実施形態の記録ヘッド１００は、６個のヘッド本体１１０を有するため、ベース部１３１には６個の独立した露出開口部１３３が設けられている。もちろん、ヘッド本体１１０の構成等によっては、複数のヘッド本体１１０で構成されるヘッド本体群に対して１つの共通する露出開口部１３３を設けるようにしてもよい。
【００５４】
このようなベース部１３１によって、保持部材１２０の保持部１２１のＺ１側が覆われている。ベース部１３１は、図６に示すように、保持部材１２０のＺ方向のＺ１側の面、すなわち、足部１２２のＺ１側の端面に接着剤を介して接合されている。
【００５５】
また、折り曲げ部１３２は、ベース部１３１のＹ方向の両端部に設けられており、保持部１２１のＹ方向の側面に開口する開口面積を覆う大きさで形成されている。すなわち、折り曲げ部１３２は、ベース部１３１のＹ方向の端部から固定板１３０の縁部までの領域のことである。そして、このような折り曲げ部１３２は、保持部材１２０のＹ方向の側面に接着剤を介して接合されている。これにより、保持部１２１のＹ方向の側面への開口は、折り曲げ部１３２によって覆われて封止されている。
【００５６】
このように、固定板１３０が保持部材１２０に接着剤により接着されることで、保持部材１２０と固定板１３０との間の空間である保持部１２１内にヘッド本体１１０が配置される。
【００５７】
上述したように、本実施形態に係る記録ヘッド１００は、１つの記録ヘッド１００に対して複数のヘッド本体１１０を設けてノズル列の多列化を図ることで、１つの記録ヘッド１００に対して１つのヘッド本体１１０のみにノズル列を複数列設けて多列化する場合に比べて、歩留まりを向上することができる。すなわち、単体のヘッド本体１１０でのノズル列の多列化を行うのは、ヘッド本体１１０の歩留まりが低下すると共に製造コストが高価になってしまう。これに対して、複数のヘッド本体１１０によってノズル列の多列化を行うことで、ヘッド本体１１０の歩留まりを向上して製造コストを低減することができる。
【００５８】
また、保持部材１２０のＹ方向の側面の開口は、固定板１３０の折り曲げ部１３２により封止される。これにより、保持部材１２０のＹ方向の両側に固定板１３０のベース部１３１と接着するために足部がなくても、保持部１２１のＹ方向の側面に設けられた開口からの水分蒸発を抑制することができる。
【００５９】
したがって、Ｙ方向に記録ヘッド１００を並設したヘッドユニット１０１は、Ｙ方向において隣り合う記録ヘッド１００側に足部１２２が存在しないことから、Ｙ方向で隣り合う記録ヘッド１００の間隔を狭くすることができる。これにより、Ｙ方向で隣り合う記録ヘッド１００のヘッド本体１１０同士を近接して設けることができ、隣り合う記録ヘッド１００の各ヘッド本体１１０に設けられたノズル開口２１をＹ方向で近接させて設けることができる。
【００６０】
なお、本実施形態に係る記録ヘッド１００は、保持部材１２０のＸ方向の両側に足部１２２を設けるようにしたが、足部１２２を設けないようにしてもよい。すなわち、保持部材１２０のＺ１側の面にヘッド本体１１０が接着され、固定板１３０のＸ方向及びＹ方向の両側に折り曲げ部１３２を設けるようにしてもよい。すなわち、固定板１３０には、液体噴射面２０ａの面内方向における全周に亘って折り曲げ部１３２が設けられており、保持部材１２０の側面の全周に亘って固定板１３０が接着されていてもよい。ただし、本実施形態のように保持部材１２０のＸ方向の両側に足部１２２を設けることで、足部１２２のＺ１側の端面を固定板１３０のベース部１３１に接着することにより、インクジェット式記録ヘッド１００のＺ方向の強度を向上することができるとともに、足部１２２からの水分蒸発を抑制することができる。
【００６１】
図７及び図８を用いて、ヘッド本体１１０について説明する。図７は本実施形態に係るヘッド本体の斜視図であり、図８はヘッド本体のＹ方向の断面図である。もちろん、ヘッド本体１１０の構成は以下の構成に限定されない。
【００６２】
本実施形態のヘッド本体１１０は、圧力発生室１２、ノズル開口２１、マニホールド９５、圧力発生手段等を備える。そのために、流路形成基板１０、連通板１５、ノズルプレート２０、保護基板３０、コンプライアンス基板４５、ケース４０等の複数の部材が接着剤等によって接合されている。
【００６３】
流路形成基板１０には、一方面側から異方性エッチングすることにより、複数の隔壁によって区画された圧力発生室１２が複数のノズル開口２１の並設方向に沿って並設されている。なお、本実施形態では、この圧力発生室１２の並設方向は、Ｘａ方向と称する。また、流路形成基板１０には、圧力発生室１２がＸａ方向に並設された列が複数列、本実施形態では、２列設けられている。この圧力発生室１２の列が複数列設された列設方向を、以降、Ｙａ方向と称する。なお、本実施形態では、Ｘａ方向及びＹａ方向に直交する方向は、Ｚ方向と一致する。また、本実施形態のヘッド本体１１０は、ノズル開口２１の並設方向であるＸａ方向が、記録シートＳの搬送方向であるＸ方向に対して傾斜した方向となるようにヘッドユニット１０１に搭載される。
【００６４】
また、流路形成基板１０には、圧力発生室１２のＹａ方向の一端部側に、当該圧力発生室１２よりも開口面積が狭く、圧力発生室１２に流入するインクの流路抵抗を付与する供給路等が設けられていてもよい。
【００６５】
流路形成基板１０の一方面側には、連通板１５が接合されている。また、連通板１５には、各圧力発生室１２に連通する複数のノズル開口２１が設けられたノズルプレート２０が接合されている。本実施形態では、ノズルプレート２０のノズル開口２１が開口するＺ方向のＺ１側が液体噴射面２０ａとなっている。
【００６６】
連通板１５には、圧力発生室１２とノズル開口２１とを連通するノズル連通路１６が設けられている。連通板１５は、流路形成基板１０よりも大きな面積を有し、ノズルプレート２０は流路形成基板１０よりも小さい面積を有する。このようにノズルプレート２０の面積を比較的小さくすることでコストの削減を図ることができる。
【００６７】
また、連通板１５には、マニホールド９５の一部を構成する第１マニホールド１７と、第２マニホールド１８とが設けられている。第１マニホールド１７は、連通板１５をＺ方向に貫通して設けられている。第２マニホールド１８は、連通板１５をＺ方向に貫通することなく、連通板１５のノズルプレート２０側に開口してＺ方向の途中まで設けられている。
【００６８】
さらに、連通板１５には、圧力発生室１２のＹ方向の一端部に連通する供給連通路１９が、圧力発生室１２毎に独立して設けられている。この供給連通路１９は、第２マニホールド１８と圧力発生室１２とを連通する。
【００６９】
ノズルプレート２０には、各圧力発生室１２とノズル連通路１６を介して連通するノズル開口２１が形成されている。複数のノズル開口２１がＸａ方向に並設され、それぞれの並設されたノズル開口２１が２つのノズル列ａ及びノズル列ｂをなし、このノズル列ａ、ノズル列ｂがＹａ方向に並設されている。なお、本実施形態では、詳細は後述するが、ノズル列ａ及びノズル列ｂのそれぞれは、２つに分割して１列で２種類の液体を噴射できるようになっている。
【００７０】
一方、流路形成基板１０の連通板１５とは反対面側には、振動板５０が形成されている。また、振動板５０上には、第１電極６０と圧電体層７０と第２電極８０とが順次積層されることで、本実施形態の圧力発生手段である圧電アクチュエーター３００が構成されている。一般的には圧電アクチュエーター３００の何れか一方の電極を共通電極とし、他方の電極及び圧電体層を圧力発生室１２毎にパターニングして構成する。
【００７１】
また、流路形成基板１０の圧電アクチュエーター３００側の面には、流路形成基板１０と略同じ大きさを有する保護基板３０が接合されている。保護基板３０は、圧電アクチュエーター３００を保護するための空間である保持部３１を有する。また、保護基板３０には、Ｚ方向に貫通する貫通孔３２が設けられている。圧電アクチュエーター３００の電極から引き出されたリード電極９０の端部は、この貫通孔３２内に露出するように延設され、リード電極９０とＣＯＦ基板９８とが、貫通孔３２内で電気的に接続されている。
【００７２】
また、保護基板３０及び連通板１５には、複数の圧力発生室１２に連通するマニホールド９５を画成するケース４０が固定されている。ケース４０は、平面視において上述した連通板１５と略同一形状を有し、保護基板３０に接合されると共に、上述した連通板１５にも接合されている。具体的には、ケース４０は、保護基板３０側に流路形成基板１０及び保護基板３０が収容される深さの凹部４１を有する。この凹部４１は、保護基板３０の流路形成基板１０に接合された面よりも広い開口面積を有する。そして、凹部４１に流路形成基板１０等が収容された状態で凹部４１のノズルプレート２０側の開口面が連通板１５によって封止されている。これにより、流路形成基板１０の外周部には、ケース４０と流路形成基板１０及び保護基板３０とによって第３マニホールド４２が画成されている。そして、この第３マニホールド４２と、連通板１５に設けられた第１マニホールド１７及び第２マニホールド１８とによって本実施形態のマニホールド９５が構成されている。なお、上述したように１列のノズル列で２種類の液体を噴射できるようになっているので、マニホールド９５を構成する第１マニホールド１７、第２マニホールド１８及び第３マニホールド４２は、それぞれノズル列方向、すなわち、Ｘａ方向で２つに分割されている。例えば、第１マニホールド１７は、図７に示すように、第１マニホールド１７ａと第１マニホールド１７ｂとからなる。第２マニホールド１８及び第３マニホールド４２も同様に２つに分割され、マニホールド９５全体としてもＸａ方向に２つ分割されている。
【００７３】
本実施形態では、マニホールド９５を構成する第１マニホールド１７、第２マニホールド１８及び第３マニホールド４２は、それぞれノズル列ａ及びノズル列ｂを挟んで対称に配置されている。これによれば、ノズル列ａ及びノズル列ｂ毎に異なる液体を噴射することも可能となる。勿論、マニホールドの配置はこれに限定されるものではない。
【００７４】
また、本実施形態では、後述するように４種の液体を噴射できるように、各ノズル列に対応するマニホールドをＸａ方向で２つに分割して合計４つのマニホールド９５としているが、ノズル列ａ及びノズル列ｂ毎に形成されたマニホールドとしてもよいし、また、ノズル列ａ及びノズル列ｂの２列に対して共通の１つのマニホールドとしてもよい。
【００７５】
また、連通板１５の第１マニホールド１７及び第２マニホールド１８が開口する面には、コンプライアンス基板４５が設けられている。このコンプライアンス基板４５が、第１マニホールド１７と第２マニホールド１８の開口を封止している。
【００７６】
このようなコンプライアンス基板４５は、本実施形態では、封止膜４６と、固定基板４７とを具備する。封止膜４６は、可撓性を有する薄膜（例えば、ポリフェニレンサルファイド（ＰＰＳ）やステンレス鋼（ＳＵＳ）等により形成されている。また、固定基板４７は、ステンレス鋼（ＳＵＳ）等の金属等の硬質の材料で形成される。この固定基板４７のマニホールド９５に対向する領域は、厚さ方向に完全に除去された開口部４８となっているため、マニホールド９５の一方面は可撓性を有する封止膜４６のみで封止された可撓部であるコンプライアンス部４９となっている。
【００７７】
また、固定板１３０は、コンプライアンス基板４５の連通板１５とは反対面側に接着される。すなわち、固定板１３０のベース部１３１に設けられた露出開口部１３３は、ノズルプレート２０の面積よりも広い開口面積を有し、露出開口部１３３内でノズルプレート２０の液体噴射面２０ａを露出する。もちろん、固定板１３０は、これに限定されず、例えば、固定板１３０の露出開口部１３３をノズルプレート２０の外形よりも小さな開口面積とし、固定板１３０をノズルプレート２０の液体噴射面２０ａに当接又は接着するようにしてもよい。また、固定板１３０の露出開口部１３３をノズルプレート２０の外形よりも小さな開口面積とした場合であっても、固定板１３０と液体噴射面２０ａとが接しないように設けるようにしてもよい。すなわち、固定板１３０が液体噴射面２０ａ側に設けられているとは、液体噴射面２０ａに接していないものも、また、液体噴射面２０ａに接するものも含むものである。
【００７８】
なお、ケース４０には、マニホールド９５に連通して各マニホールド９５にインクを供給するための導入路４４が設けられている。また、ケース４０には、保護基板３０の貫通孔３２に連通してＣＯＦ基板９８が挿通される接続口４３が設けられている。
【００７９】
このような構成のヘッド本体１１０では、インクを噴射する際に、貯留手段から導入路４４を介してインクを取り込み、マニホールド９５からノズル開口２１に至るまで流路内部をインクで満たす。その後、駆動回路９７からの信号に従い、圧力発生室１２に対応する各圧電アクチュエーター３００に電圧を印加することにより、圧電アクチュエーター３００と共に振動板をたわみ変形させる。これにより、圧力発生室１２内の圧力が高まり所定のノズル開口２１からインク滴が噴射される。
【００８０】
ここで、図５及び図９を用いて、ヘッド本体１１０のノズル列を構成するノズル開口２１の並設方向が、記録シートＳの搬送方向であるＸ方向に対して傾斜して設けられている点について詳細に説明する。図９は本実施形態に係るヘッド本体のノズル開口の配置を模式的に示した説明図である。
【００８１】
複数のヘッド本体１１０は、液体噴射面２０ａの面内方向において、記録シートＳの搬送方向であるＸ方向に対してノズル列ａ、ノズル列ｂが傾斜するように固定されている。ここでいうノズル列は複数のノズル開口２１が所定の方向に並設されたものをいう。本実施形態では、液体噴射面２０ａには、所定の方向としてＸａ方向に複数のノズル開口２１が並設された２列のノズル列ａ及びノズル列ｂが液体噴射面２０ａに設けられている。Ｘａ方向は、前記Ｘ方向に対して、０度より大きく９０度未満の角度で交差した方向となっている。ここで、Ｘ方向とＸａ方向とは、０度より大きく４５度未満の角度で交差することが好ましい。これによると、４５度より大きく９０度未満の角度で交差する場合と比較すると、Ｙ方向におけるノズル開口２１同士の間隔Ｄ１をより小さくでき、Ｙ方向に高解像度の記録ヘッド１００を実現することができる。もちろん、Ｘ方向とＸａ方向とを、４５度より大きく９０度未満の角度で交差するようにしてもよい。
【００８２】
なお、Ｘ方向とＸａ方向とが０度より大きく４５度未満の角度で交差するとは、液体噴射面２０ａの面内においてＸ方向と４５度で交差する直線よりも、ノズル列がＸ方向に向けてより傾斜している状態をいう。また、ここでいう間隔Ｄ１は、ノズル列ａ及びノズル列ｂのノズル開口２１を、Ｙ方向の仮想線に対して、Ｘ方向に投影した場合のノズル開口２１同士の間隔である。また、ノズル列ａ及びノズル列ｂのノズル開口２１をＸ方向の仮想線に対して、Ｙ方向に投影した場合のノズル開口２１同士の間隔をＤ２とする。
【００８３】
また、図９に示すように、本実施形態では、１つのノズル列で２種類、２つのノズル列で４種類の液体を噴射できるようになっている。すなわち、４色のインクを使用すると仮定すると、例えば、ノズル列ａでは、ブラックＢｋとマゼンタＭ、ノズル列ｂでは、シアンＣとイエローＹを噴射できるようになっている。また、ノズル列ａとノズル列ｂとは同じ数のノズル開口２１を有し、ノズル列ａのノズル開口２１のＹ方向の位置と、ノズル列ｂのノズル開口２１のＹ方向の位置とは、Ｘ方向で重なっている。
【００８４】
ヘッド本体１１０ａ〜１１０ｃは、同様なノズル列ａ、ｂを有しており、ヘッド本体１１０ａ〜１１０ｃがＹ方向に近接して設けられることにより、Ｙ方向に隣接するヘッド本体１１０の各ノズル開口２１が、互いにＸ方向で重なるように並設されている。よって、例えばヘッド本体１１０ａのマゼンタＭのノズル列ａとイエローＹのノズル列ｂとが、ヘッド本体１１０ｂのブラックＢｋのノズル列ａとシアンＣのノズル列ｂとにＸ方向で重なることで、Ｘ方向の一列に４色が並ぶようになり、カラーイメージを印刷することができる。また、Ｙ方向に隣接するヘッド本体１１０ｂとヘッド本体１１０ｃについても、同様に、各ノズル開口２１が、互いにＸ方向で重なるように並設されている。
【００８５】
さらに、隣接するヘッド本体１１０が有する同じ色のノズル列のうち少なくとも一部のノズル開口２１が互いにＸ方向で重なるように配置されていることで、ヘッド本体１１０間のつなぎ目の画質を向上することができる。すなわち、例えば、ヘッド本体１１０ａのマゼンタＭのノズル列ａの１つのノズル開口２１とヘッド本体１１０ｂのマゼンタＭのノズル列ａの１つのノズル開口２１とが、互いにＸ方向で重なるように配置されており、この互いに重なる２つのノズル開口２１からの噴射を制御することにより、隣接するヘッド本体１１０間のつなぎ目においてバンディングや筋といった画質の劣化を防ぐことができる。また、図９に示す例では、１つのノズル開口２１のみがＸ方向に重なっているが、２つ以上のノズル開口２１がＸ方向に重なっていてもよい。
【００８６】
このような色の配置は、勿論これに限定されるものではない。例えば、特に図示しないが、１つのノズル列で、ブラックＢｋ、マゼンタＭ、シアンＣ及びイエローＹの４色を噴射できるように配置してもよい。
【００８７】
上述したように、ヘッド本体１１０を複数有する記録ヘッド１００をヘッド固定基板１０２に４個固定してヘッドユニット１０１を構成しているが、図５の直線Ｌに示すように、隣接する記録ヘッド１００同士でノズル列の一部がＸ方向で重なるように配置されている。すなわち、１つの記録ヘッド１００において隣接するヘッド本体１１０の関係と同様に、Ｙ方向に隣接する記録ヘッド１００間において隣接するヘッド本体１１０がＹ方向に近接して設けられることにより、隣接する記録ヘッド１００間において、カラーイメージを印刷できるとともに、隣接する記録ヘッド１００間のつなぎ目の画質を向上することができる。もちろん、隣接する記録ヘッド１００間においてＸ方向に重なるノズル開口２１の数は、１つの記録ヘッド１００におけるヘッド本体１１０間においてＸ方向に重なるノズル開口２１の数と同じである必要はない。
【００８８】
このように、ヘッド本体１１０間のノズル列と、記録ヘッド１００間のノズル列とがＸ方向で一部重なることにより、つなぎ目の画質を向上することができる。
【００８９】
また、各ノズル列のＸａ方向において隣接するノズル開口２１間において、Ｘ方向の間隔Ｄ１とＹ方向の間隔Ｄ２とは整数比となるように、ノズルピッチやＸ方向とＸａ方向の角度を設定するのが好ましい。これによれば、Ｘ方向及びＹ方向にマトリクス状に配置された画素から構成されるイメージデータを印刷する場合に、各ノズルと画素との対応付けが容易となる。なお、もちろん、このような整数比に限定されるものではない。
【００９０】
本実施形態の記録ヘッド１００は、図５に示すように、液体噴射面２０ａ側から平面視した際に、略平行四辺形となる形状を有する。これは、上述したように、各ヘッド本体１１０のノズル列ａ、ノズル列ｂを構成するノズル開口２１の並設方向であるＸａ方向が、記録シートＳの搬送方向であるＸ方向に対して傾斜して設けられており、このノズル列ａ、ノズル列ｂの傾斜する方向であるＸａ方向と同じように記録ヘッド１００の外形、すなわち、固定板１３０を略平行四辺形となるように形成したからである。もちろん、記録ヘッド１００の液体噴射面２０ａ側から平面視した際の形状は、略平行四辺形に限定されず、台形の矩形状や多角形状等であってもよい。
【００９１】
なお、以上説明した実施形態では、１つのヘッド本体に２列のノズル列を設けた例を説明したが、３列以上のノズル列を有するものであっても同様に上述した効果を奏することはいうまでもない。なお、本実施形態のように、１つのヘッド本体１１０に設けられたノズル列が２列であれば、図８のように、それぞれのノズル列に対応した２つのマニホールド９５の間に、それぞれのノズル列のノズル開口２１を配置することができるので、複数のノズル列のノズル開口２１がそれぞれのノズル列に対応したマニホールドに対して同じ側に配置される場合と比較すると、２列のノズル列のＹａ方向の間隔を狭めることができる。ゆえに、２列のノズル列に対して１つのノズルプレート２０に要する面積を小さくすることができる。また、２列のノズル列のそれぞれの圧電アクチュエーター３００とＣＯＦ基板９８との接続も容易になる。
【００９２】
また、本実施形態では、各ノズル列ａ、ｂは、同じ数のノズル開口２１を有している。これによれば、各ノズル列間のＸ方向におけるオーバーラップ数を同じにでき、効率的な液体噴射ができる。しかしながら、各ノズル列のノズル開口の数は、必ずしも同じである必要はない。さらに、ノズル列ａ，ｂが噴射する液体の種類は全て同じであってもよく、例えば全て同じ色のインクを使用してもよい。
【００９３】
また、本実施形態では、ヘッド本体１１０は、２列のノズル列に対して１つのノズルプレート２０を有することが好ましい。これによれば、各ノズル列の配置がさらに高精度に実現できる。もちろん、ノズル列毎に別のノズルプレート２０を設けてもよい。なお、ノズルプレート２０は、ステンレス鋼（ＳＵＳ）板やシリコン基板などから構成される。
【００９４】
図１０〜図１６を用いて、本実施形態に係る流路部材２００について詳細に説明する。図１０は流路部材２００としての第１流路部材の平面図であり、図１１は流路部材２００としての第２流路部材の平面図であり、図１２は流路部材２００としての第３流路部材の平面図であり、図１３は第３流路部材の底面図であり、図１４は図１０〜図１３のＢ−Ｂ’線断面図であり、図１５は図１０〜図１３のＣ−Ｃ’線断面図であり、図１６は図１０〜図１５のＤ−Ｄ’線断面図である。なお、図１０〜図１２はＺ２側の平面図であり、図１３はＺ１側の底面図である。
【００９５】
流路部材２００は、インクが流通する流路２４０が設けられた部材である。本実施形態では、Ｚ方向に積層された３つの第１流路部材２１０、第２流路部材２２０及び第３流路部材２３０と、複数の流路２４０とを備えている。Ｚ方向において、保持部材１２０側（図６参照）からヘッド本体１１０側に向かって、第１流路部材２１０、第２流路部材２２０、第３流路部材２３０の順で積層されている。特に図示しないが、接着剤により第１流路部材２１０、第２流路部材２２０及び第３流路部材２３０は接着固定されているが、このような態様に限定されず、例えばネジなどの固定手段により第１流路部材２１０、第２流路部材２２０及び第３流路部材２３０を一体化してもよい。また、特に材料の限定はないが、例えばＳＵＳなどの金属や樹脂により形成することができる。
【００９６】
流路２４０は、上流の部材（本実施形態では保持部材１２０）から供給されるインクが導入される導入流路２８０と、該インクをヘッドに供給する出口となる接続部２９０とを両端とする流路である。本実施形態では、４つの流路２４０が形成されており、各流路２４０は、一つの導入流路２８０にインクが供給され、途中で分岐して複数の接続部２９０からインクがヘッド本体１１０に供給するように構成されている。
【００９７】
４つの流路２４０のうち一部は第１流路２４１、残りは第２流路２４２とされている。本実施形態では、第１流路２４１及び第２流路２４２は２つずつ形成されている。２つの第１流路２４１のそれぞれを第１流路２４１ａ、第１流路２４１ｂとする。以降、第１流路２４１と記載した際には、第１流路２４１ａ及び第１流路２４１ｂの双方を指しているものとする。第２流路２４２についても同様である。
【００９８】
第１流路２４１は、第１導入流路２８１を備えている。第１導入流路２８１は、第１流路２４１のうち、後述する第１分配流路２５１と、流路部材２００よりも上流の流路（本実施形態では保持部材１２０が有する流路）とを接続する流路である。本実施形態では、２つの第１流路２４１ａ及び第１流路２４１ｂは、それぞれ第１導入流路２８１ａ及び第１導入流路２８１ｂを有している。
【００９９】
具体的には、第１導入流路２８１ａは、第１流路部材２１０のＺ２側の表面に設けられた突部２１２の頂面に開口してＺ方向に貫通した貫通孔２１１と、第２流路部材２２０のＺ方向に貫通した貫通孔２２１とが連通したものである。第１導入流路２８１ｂも同様である。以降、第１導入流路２８１と記載した際には、第１導入流路２８１ａ及び第１導入流路２８１ｂを指すものとする。
【０１００】
第２流路２４２は、第２導入流路２８２を備えている。第２導入流路２８２は、第２流路２４２のうち、後述する第２分配流路２５２と、流路部材２００よりも上流の流路（本実施形態では保持部材１２０が有する流路）とを接続する流路である。本実施形態では、２つの第２流路２４２ａ及び第２流路２４２ｂは、それぞれ第２導入流路２８２ａ及び第２導入流路２８２ｂを有している。
【０１０１】
具体的には、第２導入流路２８２ａは、第１流路部材２１０のＺ２側の表面に設けられた突部２１２の頂面に開口してＺ方向に貫通した貫通孔である。第２導入流路２８２ｂも同様である。以降、第２導入流路２８２と記載した際には、第２導入流路２８２ａ及び第２導入流路２８２ｂを指すものとする。
【０１０２】
さらに、導入流路２８０と記載した際には、上述した４つの導入流路の全てを指しているものとする。
【０１０３】
本実施形態では、図１０に示す平面視においては、第１流路部材２１０の左上隅の近傍に第１導入流路２８１ａが配置され、第１流路部材２１０の右下隅の近傍に第１導入流路２８１ｂが配置されている。また、図１０に示す平面視においては、第１流路部材２１０の右上隅の近傍に第２導入流路２８２ａが配置され、第１流路部材２１０の左下隅の近傍に第２導入流路２８２ｂが配置されている。
【０１０４】
第１流路２４１は、第２流路部材２２０と第３流路部材２３０とで形成された第１分配流路２５１を含む。第１分配流路２５１は、第１流路２４１のうち、液体噴射面２０ａに平行な方向にインクを流通させる一部分である。本実施形態では、２つの第１流路２４１が形成されているため、第１分配流路２５１も２つ形成されている。２つの第１分配流路２５１のそれぞれを第１分配流路２５１ａ、第１分配流路２５１ｂとする。
【０１０５】
第１分配流路２５１ａは、第２流路部材２２０のＺ１側の表面にＹ方向に沿って形成された分配溝部２３１ａと、第３流路部材２３０のＺ２側の表面にＹ方向に沿って形成された分配溝部２３１ａとを合わせて封止することにより形成されている。第１分配流路２５１ｂは、第２流路部材２２０のＺ１側の表面にＹ方向に沿って形成された形成された分配溝部２３１ｂと、第３流路部材２３０のＺ２側の表面にＹ方向に沿って形成された分配溝部２３１ｂとを合わせて封止することにより形成されている。
【０１０６】
いずれの第１分配流路２５１ａ、２５１ｂについても、第２流路部材２２０及び第３流路部材２３０に分配溝部２２６ａ、２２６ｂ、２３１ａ、２３１ｂをそれぞれ形成することで、第１分配流路２５１ａ、２５１ｂそれぞれの断面積を広げ、第１分配流路２５１ａ、２５１ｂにおける圧力損失を低減させている。なお、第１分配流路２５１ａ、２５１ｂは、第２流路部材２２０のみに形成された分配溝部２２６ａ、２２６ｂにより形成されていてもよいし、又は第３流路部材２３０のみに形成された分配溝部２３１ａ、２３１ｂにより形成されていてもよい。例えば、Ｚ２側にある第２流路部材２２０のみに分配溝部２２６ａ、２２６ｂを形成することで、後述するように、Ｘａ方向の幅がＺ１側からＺ２側に向けて狭くなるＣＯＦ基板９８と、これらの第１分配流路２５１ａ、２５１ｂとの干渉を防ぎつつ、第１流路２４１を配置する自由度を向上させることができる。
【０１０７】
第１分配流路２５１ａと第１分配流路２５１ｂとは、ＣＯＦ基板９８が挿通する開口部２０１（第３開口部２３５）のＸ方向における両外側に配置されている。
【０１０８】
第２流路２４２は、第１流路部材２１０と第２流路部材２２０とで形成された第２分配流路２５２を含む。第２分配流路２５２は、第２流路２４２のうち、液体噴射面２０ａに平行な方向にインクを流通させる一部分である。本実施形態では、２つの第２流路２４２が形成されているため、第２分配流路２５２も２つ形成されている。２つの第２分配流路２５２のそれぞれを第２分配流路２５２ａ、第２分配流路２５２ｂとする。
【０１０９】
第２分配流路２５２ａは、第１流路部材２１０のＺ１側の表面にＹ方向に沿って形成された分配溝部２１３ａと、第２流路部材２２０のＺ２側の表面にＹ方向に沿って形成された分配溝部２２２ａとを合わせて封止することにより形成されている。第２分配流路２５２ｂは、第１流路部材２１０のＺ１側の表面に形成された分配溝部２１３ｂと、第２流路部材２２０のＺ２側の表面にＹ方向に沿って形成された分配溝部２２２ｂを合わせて封止されることにより形成されている。
【０１１０】
いずれの第２分配流路２５２ａ、２５２ｂについても、第１流路部材２１０及び第２流路部材２２０に分配溝部２１３ａ、２１３ｂ、２２２ａ、２２２ｂをそれぞれ形成することで、第２分配流路２５２ａ、２５２ｂそれぞれの断面積を広げ、第２分配流路２５２ａ、２５２ｂにおける圧力損失を低減させている。なお、第２分配流路２５２ａ、２５２ｂは、第１流路部材２１０のみに形成された分配溝部２１３ａ、２１３ｂにより形成されていてもよいし、又は、第２流路部材２２０のみに形成された分配溝部２２２ａ、２２２ｂにより形成されていてもよい。例えば、Ｚ２側にある第１流路部材２１０のみに分配溝部２２２ａ、２２２ｂを形成することで、上述した第１分配流路２５１ａ、２５１ｂと同様に、ＣＯＦ基板９８との干渉を防ぎつつ、第２流路２４２を配置する自由度を向上させることができる。
【０１１１】
第２分配流路２５２ａと第２分配流路２５２ｂとは、ＣＯＦ基板９８が挿通する開口部２０１（第２開口部２２５）のＸ方向における両外側に配置されている。
【０１１２】
以降、第１分配流路２５１と記載した際には、第１分配流路２５１ａ及び第１分配流路２５１ｂの双方を指しているものとする。第２分配流路２５２と記載した際には、第２分配流路２５２ａ及び第２分配流路２５２ｂの双方を指しているものとする。また、分配流路２５０と記載した際には、上述した４つの分配流路の全てを指しているものとする。
【０１１３】
また、本実施形態では、第１流路２４１は一つの導入流路２８０から複数の接続部２９０に分岐するように構成されている。すなわち、第１分配流路２５１から、複数の第１分岐流路２６１が第１分配流路２５１と同じ平面（第２流路部材２２０と第３流路部材２３０とが接合された境界面）において分岐している。
【０１１４】
本実施形態では、液体噴射面２０ａに平行な平面内（第２流路部材２２０と第３流路部材２３０との境界面）において、第１分配流路２５１から６つの第１分岐流路２６１が分岐している。第１分配流路２５１ａから分岐した６つの第１分岐流路２６１のそれぞれを第１分岐流路２６１ａ１〜第１分岐流路２６１ａ６とする。以降、第１分岐流路２６１ａと記載した際には、第１分岐流路２６１ａに接続された６つの分岐流路の全てを指しているものとする。
【０１１５】
同様に、第１分配流路２５１ｂから分岐した６つの第１分岐流路２６１のそれぞれを第１分岐流路２６１ｂ１〜第１分岐流路２６１ｂ６とする。以降、第１分岐流路２６１ｂと記載した際には、第１分岐流路２６１ｂに接続された６つの分岐流路の全てを指しているものとする。さらに、第１分岐流路２６１と記載した際には、第１分岐流路２６１ａ及び第１分岐流路２６１ｂに接続された１２個の分岐流路の全てを指しているものとする。
【０１１６】
なお、図ではＹ方向に並んだ６つの第１分岐流路２６１ａ１〜第１分岐流路２６１ａ６のうち、第１分岐流路２６１ａ２〜第１分岐流路２６１ａ５の符号の図示は省略しているが、Ｙ１側からＹ２側に順番に並んでいるものとする。第１分岐流路２６１ｂ１〜第１分岐流路２６１ｂ６についても同様である。
【０１１７】
具体的には、第３流路部材２３０のＺ２側の表面には、分配溝部２３１ａに連通して開口部２０１側に向けて延設された複数の分岐溝部２３２ａが設けられている。第２流路部材２２０のＺ１側の表面には、分配溝部２２６ａに連通して開口部２０１側に向けて延設された複数の分岐溝部２２７ａが設けられている。第１分岐流路２６１ａは、分岐溝部２２７ａと分岐溝部２３２ａとが互いに相対向して封止されることにより形成されている。
【０１１８】
第３流路部材２３０のＺ２側の表面には、分配溝部２３１ｂに連通して開口部２０１側に向けて延設された複数の分岐溝部２３２ｂが設けられている。第２流路部材２２０のＺ１側の表面には、分配溝部２２６ｂに連通して開口部２０１側に向けて延設された複数の分岐溝部２２７ｂが設けられている。第１分岐流路２６１ｂは、分岐溝部２２７ｂと分岐溝部２３２ｂとが互いに相対向して封止されることにより形成されている。
【０１１９】
いずれの第１分岐流路２６１ａ、２６１ｂについても、第２流路部材２２０及び第３流路部材２３０に分岐溝部２２７ａ、２２７ｂ、２３２ａ、２３２ｂをそれぞれ形成することで、第１分岐流路２６１ａ、２６１ｂそれぞれの断面積を広げ、第１分岐流路２６１ａ、２６１ｂにおける圧力損失を低減させている。なお、第１分岐流路２６１ａ、２６１ｂは、第２流路部材２２０のみに形成された分岐溝部２２７ａ、２２７ｂにより形成されていてもよいし、又は、第３流路部材２３０のみに形成された分岐溝部２３２ａ、２３２ｂにより形成されていてもよい。例えば、後述するように、Ｙａ方向に傾斜することでＺ１側からＺ２側に向けてＹａ方向の幅が広がる領域Ｑにおいて、Ｚ２側にある第２流路部材２２０のみに分岐溝部２２７ａ、２２７ｂを形成することで、ＣＯＦ基板９８との干渉を防ぎつつ、第１流路２４１を配置する自由度を向上させることができる。また、Ｚ２側からＺ１側に向けてＹａ方向の幅が広がる領域Ｐにおいて、Ｚ１側にある第３流路部材２３０のみに分岐溝部２３２ａ、２３２ｂを形成することで、ＣＯＦ基板９８との干渉を防ぎつつ、第１流路２４１を配置する自由度を向上させることができる。
【０１２０】
また、第２流路２４２は一つの導入流路２８０から複数の接続部２９０に分岐するように構成されている。詳細は後述するが、第２分配流路２５２から、複数の第２分岐流路２６２が第２分配流路２５２と同じ平面（第１流路部材２１０と第２流路部材２２０とが接合された境界面）において分岐している。
【０１２１】
本実施形態では、液体噴射面２０ａに平行な平面内（第１流路部材２１０と第２流路部材２２０との境界面）において、第２分配流路２５２から６つの第２分岐流路２６２が分岐している。第２分配流路２５２ａから分岐した６つの第２分岐流路２６２のそれぞれを第２分岐流路２６２ａ１〜第２分岐流路２６２ａ６とする。
【０１２２】
同様に、第２分配流路２５２ｂから分岐した６つの第２分岐流路２６２のそれぞれを第２分岐流路２６２ｂ１〜第２分岐流路２６２ｂ６とする。
【０１２３】
以降、第２分岐流路２６２ａと記載した際には、第２分岐流路２６２ａに接続された６つの分岐流路の全てを指しているものとする。第２分岐流路２６２ｂと記載した際には、第２分岐流路２６２ｂに接続された６つの分岐流路の全てを指しているものとする。また、第２分岐流路２６２と記載した際には、第２分岐流路２６２ａ及び第２分岐流路２６２ｂに接続された１２個の分岐流路の全てを指しているものとする。さらに、分岐流路２６０と記載した際には、上述した２４個の分岐流路の全てを指しているものとする。
【０１２４】
なお、図ではＹ方向に並んだ６つの第２分岐流路２６２ａ１〜第２分岐流路２６２ａ６のうち、第２分岐流路２６２ａ２〜第２分岐流路２６２ａ５の符号の図示は省略しているが、Ｙ１側からＹ２側に順番に並んでいるものとする。第２分岐流路２６２ｂ１〜第２分岐流路２６２ｂ６についても同様である。
【０１２５】
具体的には、第２流路部材２２０のＺ２側の表面には、分配溝部２２２ａに連通して開口部２０１側に向けて延設された複数の分岐溝部２２３ａが設けられている。第１流路部材２１０のＺ１側の表面には、分配溝部２１３ａに連通して開口部２０１側に向けて延設された複数の分岐溝部２１４ａが設けられている。第２分岐流路２６２ａは、分岐溝部２１４ａと分岐溝部２２３ａとが互いに相対向して封止されることにより形成されている。
【０１２６】
第２流路部材２２０のＺ２側の表面には、分配溝部２２２ｂに連通して開口部２０１側に向けて延設された複数の分岐溝部２２３ｂが設けられている。第１流路部材２１０のＺ１側の表面には、分配溝部２１３ｂに連通して開口部２０１側に向けて延設された複数の分岐溝部２１４ｂが設けられている。第２分岐流路２６２ｂは、分岐溝部２１４ｂと分岐溝部２２３ｂとが互いに相対向して封止されることにより形成されている。
【０１２７】
いずれの第２分岐流路２６２ａ、２６２ｂについても、第１流路部材２１０及び第２流路部材２２０に分岐溝部２１４ａ、２１４ｂ、２２３ａ、２２３ｂをそれぞれ形成することで、第２分岐流路２６２ａ、２６２ｂそれぞれの断面積を広げ、第２分岐流路２６２ａ、２６２ｂにおける圧力損失を低減させている。なお、第２分岐流路２６２ａ、２６２ｂは、第１流路部材２１０のみに形成された分岐溝部２１４ａ、２１４ｂにより形成されていてもよいし、又は、第２流路部材２２０のみに形成された分岐溝部２２３ａ、２２３ｂにより形成されていてもよい。例えば、後述するように、Ｙａ方向に傾斜することでＺ１側からＺ２側に向けてＹａ方向の幅が広がる領域において、Ｚ２側にある第１流路部材２１０のみに分岐溝部２１４ａ、２１４ｂを形成することで、ＣＯＦ基板９８との干渉を防ぎつつ、第２流路２４２を配置する自由度を向上させることができる。また、Ｚ２側からＺ１側に向けてＹａ方向の幅が広がる領域において、Ｚ１側にある第２流路部材２２０のみに分岐溝部２２３ａ、２２３ｂを形成することで、ＣＯＦ基板９８との干渉を防ぎつつ、第２流路２４２を配置する自由度を向上させることができる。
【０１２８】
第１分岐流路２６１には、第１分配流路２５１とは反対側の端部に第１垂直流路２７１が接続されている。具体的には、第３流路部材２３０をＺ方向に貫通した貫通孔として第１垂直流路２７１が形成されている。
【０１２９】
本実施形態では、第１分岐流路２６１ａ１〜２６１ａ６、第１分岐流路２６１ｂ１〜２６１ｂ６のそれぞれに対して１個ずつ、すなわち全体として１２個の第１垂直流路２７１ａ１〜２７１ａ６、第１垂直流路２７１ｂ１〜２７１ｂ６が接続されている。
【０１３０】
同様に、第２分岐流路２６２には、第２分配流路２５２とは反対側の端部に第２垂直流路２７２が接続されている。具体的には、第２流路部材２２０には、Ｚ方向に貫通した貫通孔２２４が設けられ、第３流路部材２３０にはＺ方向に貫通した貫通孔２３３が設けられている。これらの貫通孔２２４及び貫通孔２３３が連通して第２垂直流路２７２が形成されている。
【０１３１】
本実施形態では、第２分岐流路２６２ａ１〜２６２ａ６、第２分岐流路２６２ｂ１〜２６２ｂ６のそれぞれに対して１個ずつ、すなわち全体として１２個の第２垂直流路２７２ａ１〜２７２ａ６、第２垂直流路２７２ｂ１〜２７２ｂ６が接続されている。
【０１３２】
以降、第１垂直流路２７１ａと記載した際には、第１垂直流路２７１ａ１〜２７１ａ６を指し、第１垂直流路２７１ｂと記載した際には、第１垂直流路２７１ｂ１〜２７１ｂ６を指し、第１垂直流路２７１と記載した際には、第１垂直流路２７１ａ及び第１垂直流路２７１ｂの全てを指すものとする。
【０１３３】
同様に、第２垂直流路２７２ａと記載した際には、第２垂直流路２７２ａ１〜２７２ａ６を指し、第２垂直流路２７２ｂと記載した際には、第２垂直流路２７２ｂ１〜２７２ｂ６を指し、第２垂直流路２７２と記載した際には、第２垂直流路２７２ａ及び第２垂直流路２７２ｂの全てを指すものとする。
【０１３４】
さらに、垂直流路２７０と記載した際には、上述した２４個の垂直流路の全てを指しているものとする。
【０１３５】
なお、図ではＹ方向に並んだ６つの第１垂直流路２７１ａ１〜第１垂直流路２７１ａ６のうち、第１垂直流路２７１ａ２〜第１垂直流路２７１ａ５の符号の図示は省略しているが、Ｙ１側からＹ２側に順番に並んでいるものとする。第１垂直流路２７１ｂ１〜第１垂直流路２７１ｂ６、第２垂直流路２７２ａ１〜第２垂直流路２７２ｂ６、第２垂直流路２７２ｂ１〜第２垂直流路２７２ｂ６についても同様である。
【０１３６】
上述した垂直流路２７０は、第３流路部材２３０のＺ１側の開口である接続部２９０を有している。詳細は後述するが、接続部２９０は、ヘッド本体１１０に設けられた導入路４４に連通している。
【０１３７】
本実施形態では、第１垂直流路２７１ａ１〜２７１ａ６、第１垂直流路２７１ｂ１〜２７１ｂ６は、第３流路部材２３０のＺ１側の開口である第１接続部２９１ａ１〜２９１ａ６、第１接続部２９１ｂ１〜２９１ｂ６をそれぞれ有している。同様に、第２垂直流路２７２ａ１〜２７２ａ６、第２垂直流路２７２ｂ１〜２７２ｂ６は、第３流路部材２３０のＺ１側の開口である第２接続部２９２ａ１〜２９２ａ６、第２接続部２９２ｂ１〜２９２ｂ６をそれぞれ有している。
【０１３８】
第１接続部２９１ａ１、第１接続部２９１ｂ１、第２接続部２９２ａ１、第２接続部２９２ｂ１は、６つのヘッド本体１１０のうちの一つに接続される。その他、第１接続部２９１ａ２〜２９１ａ６、第１接続部２９１ｂ２〜２９１ｂ６、第２接続部２９２ａ２〜２９２ａ６、第２接続部２９２ｂ２〜２９２ｂ６についても同様である。すなわち、一つのヘッド本体１１０に対して、第１流路２４１ａ、第１流路２４１ｂ、第２流路２４２ａ及び第２流路２４２ｂが接続されている。
【０１３９】
以降、第１接続部２９１ａと記載した際には、第１接続部２９１ａ１〜２９１ａ６を指し、第１接続部２９１ｂと記載した際には、第１接続部２９１ｂ１〜２９１ｂ６を指し、第１接続部２９１と記載した際には、第１接続部２９１ａ及び第１接続部２９１ｂの全てを指すものとする。
【０１４０】
同様に、第２接続部２９２ａと記載した際には、第２接続部２９２ａ１〜２９２ａ６を指し、第２接続部２９２ｂと記載した際には、第２接続部２９２ｂ１〜２９２ｂ６を指し、第２接続部２９２と記載した際には、第２接続部２９２ａ及び第２接続部２９２ｂの全てを指すものとする。
【０１４１】
さらに、接続部２９０と記載した際には、上述した２４個の接続部の全てを指しているものとする。
【０１４２】
上述したように、本実施形態に係る流路部材２００は、４つの流路２４０、すなわち第１流路２４１ａ及び第１流路２４１ｂと、第２流路２４２ａ及び第２流路２４２ｂとを備えている。そして、各流路２４０は、インクの入口となる導入流路２８０から分配流路２５０までが一本の流路として構成され、分配流路２５０から分岐流路２６０に分岐し、垂直流路２７０及び接続部２９０を経由して複数のヘッド本体１１０に接続されている。
【０１４３】
本実施形態では、ブラックＢｋ、マゼンタＭ、シアンＣ、イエローＹの４色のインクを用いる。図示しない液体貯留手段から、シアンＣは第１流路２４１ａに、イエローＹは第１流路２４１ｂに、ブラックＢｋは第２流路２４２ａに、マゼンタＭは第２流路２４２ｂに供給される。そして、各色のインクは第１流路２４１ａ、第１流路２４１ｂ、第２流路２４２ａ及び第２流路２４２ｂを流通し、各ヘッド本体１１０に供給される。
【０１４４】
ここで、流路部材２００には、ヘッド本体１１０に設けられたＣＯＦ基板９８が挿通する開口部２０１が設けられている。本実施形態では、第１流路部材２１０には、Ｚ方向に対して傾斜し、かつ貫通した第１開口部２１５が形成されている。第２流路部材２２０には、Ｚ方向に対して傾斜し、かつ貫通した第２開口部２２５が形成されている。第３流路部材２３０には、Ｚ方向に対して傾斜し、かつ貫通した第３開口部２３５が形成されている。
【０１４５】
これらの第１開口部２１５、第２開口部２２５及び第３開口部２３５は互いに連通しており、一つの開口部２０１を構成している。開口部２０１は、Ｘａ方向に長尺な開口形状を有しており、６個の開口部２０１がＹ方向に並設されている。
【０１４６】
ここで、図１６に示すように、本実施形態に係るＣＯＦ基板９８は、Ｚ方向においてヘッド本体１１０に近い一端部である下側端部９８ｃと、Ｚ方向においてヘッド本体１１０から遠い他端部である上側端部９８ｄとを有している。上側端部９８ｄのＸａ方向の幅は、下側端部９８ｃのＸａ方向の幅よりも狭くなるように形成されている。すなわち、フレキシブル配線基板９８の面方向の幅について、他端部は一端部よりも狭くなるように形成されている。
【０１４７】
本実施形態では、ＣＯＦ基板９８の第１開口部２１５及び第３開口部２３５に挿通された部分はＸａ方向の幅は一定の矩形状であり、第２開口部２２５に挿通された部分はＺ１側からＺ２側に向けてＸａ方向の幅が狭くなるように形成された台形状に形成されている。
【０１４８】
一方、流路部材２００の開口部２０１は、液体噴射面２０ａに垂直なＺ方向においてヘッド本体１１０に近い第１開口２３６（すなわち、第３開口部２３５のＺ１側の開口）及びヘッド本体１１０から遠い第２開口２１６（すなわち、第１開口部２１５のＺ２側の開口）を有している。
【０１４９】
第２開口２１６は、第１開口２３６よりもＸａ方向に狭く形成されている。すなわち、開口部２０１としては、Ｚ方向のＺ１からＺ２に向けてＸａ方向の幅が狭くなっている。具体的には、開口部２０１は、ＣＯＦ基板９８が収容される形状とされており、開口部２０１のＸａ方向の幅がＣＯＦ基板９８のＸａ方向の幅よりも若干広く形成されている。
【０１５０】
〈他の実施形態〉
以上、本発明の一実施形態について説明したが、本発明の基本的な構成は上述したものに限定されるものではない。
【０１５１】
例えば、実施形態１では、ヘッド本体１１０をＹ方向に併設して、複数のヘッド本体１１０により記録ヘッド１００を構成したが、１つのヘッド本体１１０により記録ヘッド１００を構成してもよい。また、ヘッドユニット１０１に含まれる記録ヘッド１００の個数についても特に限定はなく、２個以上を搭載してあってもよいし、一つの記録ヘッド１００を単体でインクジェット式記録装置１に搭載してもよい。
【０１５２】
上述したインクジェット式記録装置１では、ヘッドユニット１０１が固定されて記録シートＳを搬送するだけで印刷を行う、所謂ライン型記録装置であるが、ライン型記録装置の構成は上述したものに限定されず、ヘッドを千鳥状に並べたものであってもよい。またライン型記録装置に限定されず、ヘッドユニット１０１や１つ又は複数の記録ヘッド１００をキャリッジに搭載して、当該ヘッドユニット１０１又は記録ヘッド１００を記録シートＳの搬送方向と交差する主走査方向に移動させると共に、記録シートＳを搬送して印刷を行う所謂シリアル型記録装置にも本発明を適用することができる。
【０１５３】
また、外部接続端子列として、外部からの配線を容易に接続でき、また、脱離できることから接続コネクターを用いたが、これに限定されず、ＦＰＣなどをＡＣＦやＡＣＰなどを介して接続する端子列であってもよい。
【０１５４】
また、外部からの配線としてＦＰＣ基板を例示したが、ＣＯＦ基板や接続ケーブルなどであってもよい。
【０１５５】
また、中継基板を用いたが、中継基板は必ずしも用いる必要はなく、各駆動系接続コネクター、制御系接続コネクターに外部からの配線を接続するようにしてもよい。
【０１５６】
また、第１流路部材２１０及び第２流路部材２２０を接着して第２流路２４２を形成し、第２流路部材２２０及び第３流路部材２３０を接着して第１流路２４１を形成したが、第１流路２４１及び第２流路２４２を形成する方法はこれらに限られない。例えば、三次元造型が可能な積層造形法により、２つ以上の流路部材を接着することなく一体的に造形してもよい。あるいは、個々の流路部材を三次元造型、金型成形（射出成形等）、切削加工、プレス加工により形成してもよい。
【０１５７】
また、フレキシブル配線基板としてＣＯＦ基板９８を備えていたが、フレキシブルプリント基板（ＦＰＣ）であってもよい。
【０１５８】
さらに、本発明は、広く液体噴射ヘッドユニット全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等を具備する液体噴射ヘッドユニットにも適用することができる。
【０１５９】
また、本発明の配線基板は、液体噴射ヘッドに用いられる場合に限定されず、任意の電子回路等に適用することもできる。
【符号の説明】
【０１６０】
１  インクジェット式記録装置（液体噴射装置）、４３  接続口、  ４４  導入路、  ９７  駆動回路、  ９８  ＣＯＦ基板、  ９８ｃ  下側端部、  ９８ｄ  上側端部、  １００  記録ヘッド、  １０１  ヘッドユニット、  １１０  ヘッド本体、  １４０  配線基板、  １４３Ａ  駆動系接続コネクター、  １４３Ｂ  制御系接続コネクター、  １５０Ａ、１５０Ｂ  中継基板、  １６０Ａ、１６０Ｂ  ＦＰＣ基板、２００  流路部材、  ２０１  開口部、  ２１０  第１流路部材、  ２１６  第２開口、  ２２０  第２流路部材、  ２３０  第３流路部材、  ２３６  第１開口、  ２４０  流路、  ２４１  第１流路、  ２４２  第２流路、  ２５１  第１分配流路、２５２  第２分配流路、  ２６１  第１分岐流路、  ２６２  第２分岐流路、  ２７１  第１垂直流路、  ２７２  第２垂直流路、  ２８１  第１導入流路、  ２８２  第２導入流路、  ２９１  第１接続部、  ２９２  第２接続部、  ３００  圧電アクチュエーター
【図１】
2018065394.tif 000003
【図２】
2018065394.tif 000004
【図３】
2018065394.tif 000005
【図４】
2018065394.tif 000006
【図５】
2018065394.tif 000007
【図６】
2018065394.tif 000008
【図７】
2018065394.tif 000009
【図８】
2018065394.tif 000010
【図９】
2018065394.tif 000011
【図１０】
2018065394.tif 000012
【図１１】
2018065394.tif 000013
【図１２】
2018065394.tif 000014
【図１３】
2018065394.tif 000015
【図１４】
2018065394.tif 000016
【図１５】
2018065394.tif 000017
【図１６】
2018065394.tif 000018
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
駆動信号が入力される第１コネクターと、前記第１コネクターと同一平面に設けられ、且つ前記第１コネクターと第１方向に離間して設けられた、制御信号が入力される第２コネクターと、を有する配線基板と、
液体を噴射するノズルと、前記配線基板と前記ノズルとの間に設けられ、前記第１コネクターと前記第２コネクターと電気的に接続され、且つ前記駆動信号と前記制御信号に応じて変位する圧電素子と、を有するアクチュエーターユニットと、
を有することを特徴とする液体噴射ヘッド。
【請求項２】
前記配線基板、及び前記アクチュエーターユニットは複数設けられ、
複数の前記第１コネクターは、前記第１方向と交差する第２方向において並んで設けられ、
複数の前記第２コネクターは、前記第２方向において並んで設けられることを特徴とする請求項１に記載の液体噴射ヘッド。
【請求項３】
前記液体は、前記第１方向と前記第２方向とに交差する第３方向において前記ノズルから噴射されることを特徴とする請求項１又は請求項２に記載の液体噴射ヘッド。
【請求項４】
前記第１コネクターのピッチは、前記第２コネクターのピッチよりも大きいことを特徴とする請求項１〜３の何れか一項に記載の液体噴射ヘッド。
【請求項５】
前記第２方向において前記第１コネクターまたは前記第２コネクターと並ぶように前記配線基板に設けられ、前記液体が導入される導入流路と、
前記導入流路と前記ノズルとに連通し、前記配線基板と前記アクチュエーターユニットとの間に設けられた流路部材と、
を更に有することを特徴とする請求項１〜４の何れか一項に記載の液体噴射ヘッド。
【請求項６】
駆動信号が入力される第１コネクターと、前記第１コネクターと同一平面に設けられ、且つ前記第１コネクターと第１方向に離間して設けられた、制御信号が入力される第２コネクターと、を有する配線基板と、
液体を噴射するノズルと、前記配線基板と前記ノズルとの間に設けられ、前記第１コネクターと前記第２コネクターと電気的に接続され、且つ前記駆動信号と前記制御信号に応じて変位する圧電素子と、
を有するアクチュエーターユニットと、
前記駆動信号を転送し、前記第１コネクターと電気的に接続された第１接続端子を有する第１基板と、
前記制御信号を転送し、前記第２コネクターと電気的に接続された第２接続端子を有する第２基板と、
を有することを特徴とする液体噴射装置。
【請求項７】
前記配線基板、及び前記アクチュエーターユニットは複数設けられ、
複数の前記第１コネクターは、前記第１方向と交差する第２方向において並んで設けられ、
複数の前記第２コネクターは、前記第２方向において並んで設けられ、
前記第１基板には、複数の前記第１接続端子が設けられ、
前記第２基板には、複数の前記第２接続端子が設けられ、
前記複数の第１コネクターは、前記複数の第１接続端子と接続され、
前記複数の第２コネクターは、前記複数の第２接続端子と接続されていることを特徴とする請求項６に記載の液体噴射装置。
【手続補正２】
【補正対象書類名】明細書
【補正対象項目名】０００９
【補正方法】変更
【補正の内容】
【０００９】
前記目的を達成する本発明は、駆動信号が入力される第１コネクターと、前記第１コネクターと同一平面に設けられ、且つ前記第１コネクターと第１方向に離間して設けられた、制御信号が入力される第２コネクターと、を有する配線基板と、液体を噴射するノズルと、前記配線基板と前記ノズルとの間に設けられ、前記第１コネクターと前記第２コネクターと電気的に接続され、且つ前記駆動信号と前記制御信号に応じて変位する圧電素子と、を有するアクチュエーターユニットと、を有することを特徴とする液体噴射ヘッドにある。
ここで、前記配線基板、及び前記アクチュエーターユニットは複数設けられ、複数の前記第１コネクターは、前記第１方向と交差する第２方向において並んで設けられ、複数の前記第２コネクターは、前記第２方向において並んで設けられることが好ましい。
また、前記液体は、前記第１方向と前記第２方向とに交差する第３方向において前記ノズルから噴射されることが好ましい。
また、前記第１コネクターのピッチは、前記第２コネクターのピッチよりも大きいことが好ましい。
また、前記第２方向において前記第１コネクターまたは前記第２コネクターと並ぶように前記配線基板に設けられ、前記液体が導入される導入流路と、前記導入流路と前記ノズルとに連通し、前記配線基板と前記アクチュエーターユニットとの間に設けられた流路部材と、を更に有することが好ましい。
また、本発明の他の態様は、駆動信号が入力される第１コネクターと、前記第１コネクターと同一平面に設けられ、且つ前記第１コネクターと第１方向に離間して設けられた、制御信号が入力される第２コネクターと、を有する配線基板と、液体を噴射するノズルと、前記配線基板と前記ノズルとの間に設けられ、前記第１コネクターと前記第２コネクターと電気的に接続され、且つ前記駆動信号と前記制御信号に応じて変位する圧電素子と、を有するアクチュエーターユニットと、前記駆動信号を転送し、前記第１コネクターと電気的に接続された第１接続端子を有する第１基板と、前記制御信号を転送し、前記第２コネクターと電気的に接続された第２接続端子を有する第２基板と、を有することを特徴とする液体噴射装置を特徴とする液体噴射装置にある。
ここで、前記配線基板、及び前記アクチュエーターユニットは複数設けられ、複数の前記第１コネクターは、前記第１方向と交差する第２方向において並んで設けられ、複数の前記第２コネクターは、前記第２方向において並んで設けられ、前記第１基板には、複数の前記第１接続端子が設けられ、前記第２基板には、複数の前記第２接続端子が設けられ、前記複数の第１コネクターは、前記複数の第１接続端子と接続され、前記複数の第２コネクターは、前記複数の第２接続端子と接続されていることが好ましい。
また、別の態様は、接続端子列を各々有する複数のアクチュエーターユニットと、前記複数のアクチュエーターユニットと対向配置され、前記複数のアクチュエーターユニットの各々の前記接続端子列と電気的に接続され、記録シートの搬送方向である第１方向と交差する第２方向に延設された配線基板と、前記配線基板に設けられ、外部から供給された信号を、前記配線基板を介して前記複数のアクチュエーターユニットの各々に供給する外部接続端子列と、前記配線基板に対して前記複数のアクチュエーターユニットが配置された側と反対の側から、前記複数のアクチュエーターユニットの各々に液体を供給する複数の液体流路と、を備え、前記複数の液体流路は、前記配線基板の前記第１方向の外側に配置され、前記外部接続端子列は、前記第２方向において前記複数の液体流路の間に配置されていることを特徴とする液体噴射ヘッドにある。
かかる態様では、複数のアクチュエーターユニットの各々の前記接続端子列と電気的に接続され、該接続端子列が記録シートの搬送方向である第１方向と交差する第２方向に並設された配線基板の搬送方向外側に外部接続端子列を配置し、その第２方向の両外側に液体流路を配置するようにしたので、全体の小型化を図ることができ、特に、搬送方向の寸法を短くすることができ、記録シートの搬送精度が高度に確保され、印刷品質を向上させることができる。